(57)【要約】【課題】従来、用土を用いる栽培容器や栽培装置は構造上、培地に空気を取り込むのは容易でなく、通気性を高めるには通気材や機材を要して手間やコストがかかる。本発明はより多量に直接根周りに空気を供給し、且つ空気が培地内を自在に流れるように、側面に開口部（２）を設けた複数の中空立体部材を寄せ並べて成る栽培装置を提供する。【解決手段】角柱状を成し、少なくても上端が開口した複数の中空立体部材（１）．（１）・・を、各部材（１）の少なくても一つの側面同士を相互に寄せ揃えた集合体にし、当集合体を構成する各部材（１）の各側面のうち、少なくても互いに隣り合って並ぶ側面同士の夫々に、互いに繋がりあう開口部（２）を設け、当集合体を固定具で固定したことを特徴とする。【選択図】図１
2013188200.tif 000002
【特許請求の範囲】
【請求項１】
（イ）角柱状を成して、少なくとも上部の一端が開口する複数の中空立体部（１）
（１）・・を、各部材の（１）複数の側面のうち、少なくても２ケ所を相互に寄せ      揃えて、集合体を形成する。
（ロ）当集合体を構成する各部材（１）の複数の側面のうち、少なくても互いに隣り合って並ぶ側面同士の夫々に、互いに重なる穴（２）を設ける。
（ハ）当集合体を別に設けた固定具（３）で固定する。
以上の構成より成る、側面に穴を設けた複数の中空立体部材を寄せ揃えて成る栽培装置。
【発明の詳細な説明】
【技術分野】
【０００１】  側面に穴を設けた複数の中空部材を寄せ揃えて成る栽培装置に関する。
【背景技術】
【０００２】  従来、用土を用いた栽培容器或いは栽培装置では構造的に培地内は空気が流れにくいため資材や機材を使って通気性を高めている。
【発明の開示】
【発明が解決しようとする課題】
【０００３】  資材や機材だけで通気性を高めると手間やコストがかかる。本発明は根の周りに直接空気を取り込み、且つ培地内に空気が自在に流れて根が広がりやすくなる、複数の中空部材を寄せ揃えて成る栽培装置を提供する。
【課題を解決するための手段】
【０００４】（イ）角柱状を成し、少なくても上部の一端が開口する複数の中空立体部材（１）、
（１）・・を、各部材（１）の複数の側面のうち、少なくても２カ所を相互に寄せ揃えて集合体にする。
（ロ）当集合体を構成する各部材（１）の複数の側面のうち、少なくても相互に重なり合う側面同士の夫々に、互いに重なる穴（２）を設ける。
（ハ）当集合体を固定具で固定する。
本発明は、以上の構成よりなる、側面に穴を設けた複数の中空部材を寄せ揃えて成る栽培装置である。
【発明の効果】
【０００５】穴（２）を通して根周りに直接空気が取り込まれ、且つ各部材（１）の内部が穴（２）同士で繋っているため空気が自在に流れ、部材（１）自体の根の支持機能も加わって、よく生育する。
（ハ）どの根も穴（２）を通って根域を広げるので、むらなく生育する。
（ニ）部材（１）は半切りのペットボトル程の小型でよいため、軽量で、用土は比べて少量、管理し易く、比較的狭い空間で効率よく栽培でき、ベランダ、屋上の菜園に適する。
（ホ）、多段栽培が容易である。
【発明を実施するための最良の形態】
【０００６】以下、本発明を実施するための最良の形態を［図１］を参照にして説明する。
（イ）正四角柱状を成し、上部一端が開口した複数の中空立体部材（１）、（１）・・を      、真上から見て相互の境界が碁盤目模様を形成するように各部材（１）を寄せ揃え      て、底面、横面、縦面の夫々が均一な面の四角柱の状集合体を形成する。
（ロ）当集合体を構成する各部材（１）の各側面のうち、互いに隣り合って並ぶ側面同士    の夫々に、底面から同じ高さの位置に、窓状の穴（２）を設ける。
（ハ）当集合体を別に設けてある固定具（３）に置き入れて固定する。
本発明は、以上のような構造である。
これを使用するときは、部材（１）、（１）・・の夫々に適当な用土を入れ、適当な植物を植え込む。穴（２）の大きさ、形状、数は任意でよい。部材（１）の数は最低９個が望ましい。固定の仕方は多様とする。
【図面の簡単な説明】
【０００８】
【図１】本発明の全体斜視図
【図２】固定具
【符号の説明】
【０００９】１  中空部材
２  穴
３  固定具
４  排水穴
【図１】
2013188200.tif 000003
【図２】
2013188200.tif 000004
【手続補正書】
【提出日】平成24年5月25日(2012.5.25)
【手続補正２】
【補正対象書類名】特許請求の範囲
【補正対象項目名】請求項１
【補正方法】変更
【補正の内容】
【請求項１】
（イ）角柱状を成し、少なくとも上部の一端が開口する複数の中空立体部材（１）、（１）・・を、各部材（１）の各側面のうち、少なくても１ケ所を相互に寄せ並べた集合体にする。
（ロ）当集合体を構成する各部材（１）の各側面のうち、少なくとも相互に隣り  合って並ぶ側面同士の夫々に、互いに繋がる開口部（２）を設ける。
（ハ）当集合体を固定具で固定する。
本発明は、以上の構成より成る、側面に開口部を設けた複数の中空立体部材を寄せ並べて成る栽培装置。
【手続補正３】
【補正対象書類名】明細書
【補正対象項目名】全文
【補正方法】変更
【補正の内容】
【発明の詳細な説明】
【技術分野】
【０００１】側面に開口部を設けた複数の中空立体部材を寄せ並べて成る栽培装置に関する。
【背景技術】
【０００２】  従来、用土を用いる栽培容器或いは栽培装置では構造的に培地内は空気が流れにくいため通気材や機材を使って通気性を高めている。
【発明の開示】
【発明が解決しようとしている課題】
【０００３】  資材や機材だけで通気性を高めると手間やコストがかかる。本発明は根の周りにより多量に直接空気が供給され、且つ培地内に空気が自在に流れて根が広がりやすくなる、側面に開口部を設けた複数の中空立体部材を寄せ並べて成る栽培装置を提供する。
【課題を解決するための手段】
【０００４】（イ）角柱状を成し、少なくても上部の一端が開口する複数の中空立体部材（１）、（１）・・を、各部材（１）の各側面のうち、少なくとも１カ所を相互に寄せ並べた集合体にする。
（ロ）当集合体を構成する各部材（１）の各側面のうち、少なくても互いに隣り合って並ぶ側面同士の夫々に、互いに繋がり合う開口部（２）を設ける。
（ハ）当集合体を適当な固定具で固定する。
本発明は、以上の構成よりなる、側面に開口部を設けた複数の中空立体部材を寄せ並べて成る栽培装置である。
【発明の効果】
【０００５】（イ）開口部（２）を通して根周りに直接空気が取り込まれ、且つ各部材（！）の内部が開口部（２）同士で繋がっているため空気が自在に流れ、且つ部材（１）自体の根の支持機能も加わって、生育が促進される。
（ロ）どの根も開口部（２）を通って根域を広げることができるため、ほぼむらなく生育する。
（ハ）部材（１）の大きさは野菜の種類によっては半切りのペットボトル程の小型で十分であり、垂直或いは多段の栽培もできて狭い空間での利用効率がよくベランダ、屋上での菜園に適する。
【発明を実施するための最良の形態】
【０００６】  以下、本発明を実施するための最良の形態を［図１］を参照にして説明する。
（イ）四角柱状を成し、同じ大きさの、上部一端が開口した複数の中空立体部材（１）、（１）・・を、真上から見て相互の境界が格子模様を形成するように、夫々の側面同士を寄せ並べて、底面、横面、縦面の夫々が均一な面となる集合体を形成する。
（ロ）当集合体を構成する各部材（１）の各側面のうち、少なくても互いに隣り合って並ぶ側面同士の夫々に、互いに繋がり合って、十分な大きさの開口部（２）を設ける。
（ハ）当集合体を別に設けた固定具（３）に置き入れて固定する。
本発明は、以上のような構造である。
これを使用するときは、部材（１）、（１）・・の夫々に適当な用土を入れ、適当な植物を植え込む。当該集合体の固定の仕方は多様とする。
【図面の簡単な説明】
【０００７】
【図１】本発明の全体斜視図
【図２】固定具
【符号の説明】
【０００８】  １  中空立体部材
２  開口部
３  固定具
４  排水穴
【手続補正５】
【補正対象書類名】図面
【補正対象項目名】全図
【補正方法】変更
【補正の内容】
【図１】
2013188200.tif 000005
【図２】
2013188200.tif 000006